(57)【要約】【課題】下階の梁床の構築が完了していなくても、梁型枠を先行して取り付けることができ、また、梁型枠の下方において作業を行えるようにする。【解決手段】作業対象階の柱２を構成するＰＣ柱部材２Ａを建て込み、建て込んだＰＣ柱部材２Ａの間に梁筋３を配筋し、柱２の一部に反力を取って支持されるように梁型枠本体２０を設置し、梁型枠本体２０の荷重の少なくとも一部を、作業対象階の構築作業が完了した床６に反力をとって支持する支持部材５４Ｂを設置し、梁型枠本体２０内にコンクリートを打設する。【選択図】図１
2010053649.tif 000002
【特許請求の範囲】
【請求項１】
コンクリート造の柱梁架構を構築する方法であって、
作業対象階の柱の少なくとも一部を構築する柱構築工程と、
前記構築した柱に反力を取って支持されるように梁型枠を設置する梁型枠設置工程と、
前記作業対象階又は当該作業対象階よりも下階の構築作業が完了した見下げ床又は見下げ梁に反力をとって前記梁型枠を下方から支持するように支持部材を設置する支持部材設置工程と、
前記梁型枠内にコンクリートを打設する梁コンクリート打設工程と、を備えることを特徴とするコンクリート造の柱梁架構の構築方法。
【請求項２】
請求項１記載の柱梁架構の構築方法であって、
前記支持部材設置工程の前に、前記作業対象階の見下げ床又は見下げ梁を構築する梁床構築工程を備え、
前記支持部材設置工程では、前記梁床構築工程で構築した前記作業対象階の見下げ床又は見下げ梁に反力をとるように支持部材を設置することを特徴とする柱梁架構の構築方法。
【請求項３】
請求項１記載の柱梁架構の構築方法であって、
前記支持部材設置工程までに、前記作業対象階の見下げ床又は見下げ梁の構築作業は完了しておらず、
前記支持部材設置工程では、前記作業対象階よりも下階の見下げ床又は見下げ梁の構築が完了している階から前記作業対象階までの各階に支持部材を設置し、これら支持部材を介して、前記構築が完了している見下げ床又は見下げ梁に反力をとって前記梁型枠を下方から支持することを特徴とする柱梁架構の構築方法。
【請求項４】
請求項３記載の柱梁架構の構築方法であって、
前記支持部材設置工程までに、前記作業対象階の見下げ床又は見下げ梁にあたる位置に床型枠、梁型枠又はハーフＰＣ床部材が配置されており、
前記支持部材設置工程では、前記床型枠、梁型枠又はハーフＰＣ床部材の上方に、コンクリート部材又は鋼材からなる介装部材を配置し、この介装部材の上部に前記支持部材の下端を配置し、
前記梁コンクリート打設工程の後に、前記床型枠、梁型枠又はハーフＰＣ床部材上にコンクリートを打設する梁床コンクリート打設工程を備えることを特徴とする柱梁架構の構築方法。
【請求項５】
請求項１又は２に記載の柱梁架構の構築方法であって、
前記梁型枠は、前記支持部材と一体に形成されていることを特徴とする柱梁架構の構築方法。
【発明の詳細な説明】
【技術分野】
【０００１】
本発明は、コンクリート造の柱梁架構の構築方法に関する。
【背景技術】
【０００２】
従来より、鉄筋コンクリート造の柱梁架構からなる建物を、梁のコンクリートを現場打ちして構築する場合には、床上に支保工を構築し、この支保工により梁型枠を支持して、梁型枠内にコンクリートを打設していた。
【０００３】
このような方法として、例えば、特許文献１には、梁型枠を下方より支持する架構を設け、この架構を、柱近傍に設けられた床面より鉛直方向に延びる支柱と、架構の中央と床面の柱近傍とを結ぶよう設けられた斜材とで支持することにより、下階の梁中央に作用する曲げモーメントを小さくする方法が記載されている。
【特許文献１】特公平３―７１５４６号公報
【発明の開示】
【発明が解決しようとする課題】
【０００４】
しかしながら、特許文献１記載の方法では、梁型枠内に打設したコンクリートの荷重が支保工を介して下階の梁床に伝達されるため、下階の梁床のコンクリートの打設もしくは養生が完了していなければ、支柱及び斜材を設置することができず、梁の型枠の取り付けを行うことができないという問題があった。
【０００５】
また、梁型枠を支持する支保工が障害となるため、梁型枠を設置した下方において作業を行うことができないという問題があった。
【０００６】
本発明は、上記の問題に鑑みなされたものであり、下階の梁床の構築が完了していなくても、梁型枠を先行して取り付けることができ、また、梁型枠の下方において作業を行えるようにすることである。
【課題を解決するための手段】
【０００７】
本発明の柱梁架構を構築する方法は、コンクリート造の柱梁架構を構築する方法であって、作業対象階の柱の少なくとも一部を構築する柱構築工程と、前記構築した柱に反力を取って支持されるように梁型枠を設置する梁型枠設置工程と、前記作業対象階又は当該作業対象階よりも下階の構築作業が完了した見下げ床又は見下げ梁に反力をとって前記梁型枠を下方から支持するように支持部材を設置する支持部材設置工程と、前記梁型枠内にコンクリートを打設する梁コンクリート打設工程と、を備えることを特徴とする。
なお、コンクリート造の建物とは鉄筋コンクリート造、鉄骨コンクリート造、鉄骨鉄筋コンクリート造、又はこれらの混合構造の建物を意味する。
【０００８】
上記の方法において、前記支持部材設置工程の前に、前記作業対象階の見下げ床又は見下げ梁を構築する梁床構築工程を備え、前記支持部材設置工程では、前記梁床構築工程で構築した前記作業対象階の見下げ床又は見下げ梁に反力をとるように支持部材を設置してもよい。
【０００９】
また、前記支持部材設置工程までに、前記作業対象階の見下げ床又は見下げ梁の構築作業は完了しておらず、前記支持部材設置工程では、前記作業対象階よりも下階の見下げ床又は見下げ梁の構築が完了している階から前記作業対象階までの各階に支持部材を設置し、これら支持部材を介して、前記構築が完了している見下げ床又は見下げ梁に反力をとって前記梁型枠を下方から支持してもよい。
【００１０】
また、前記支持部材設置工程までに、前記作業対象階の見下げ床又は見下げ梁にあたる位置に床型枠、梁型枠又はハーフＰＣ床部材が配置されており、前記支持部材設置工程では、前記床型枠、梁型枠又はハーフＰＣ床部材の上方に、コンクリート部材又は鋼材からなる介装部材を配置し、この介装部材の上部に前記支持部材の下端を配置し、前記梁コンクリート打設工程の後に、前記床型枠、梁型枠又はハーフＰＣ床部材上にコンクリートを打設する梁床コンクリート打設工程を備えてもよい。
また、前記梁型枠は、前記支持部材と一体に形成されていてもよい。
【発明の効果】
【００１１】
本発明によれば、柱に反力をとるように梁型枠を設けることとしたため、梁を構成するコンクリートの打設前であっても梁型枠を設置することができ、また、梁型枠の下方においても作業を行うことができ、また、梁を構成するコンクリートを打設する際には、新たに梁型枠を支持する部材を設けるため、梁型枠内に打設されたコンクリートの荷重を支持することができる。
【発明を実施するための最良の形態】
【００１２】
以下、本発明のコンクリート造の柱梁架構の構築方法の一実施形態を図面を参照しながら詳細に説明する。
図１は、本実施形態の柱梁架構の構築方法に用いられる梁型枠ユニットの正面図であり、図２は、図１におけるII−II´断面図である。また、図３は、図２におけるIII部の拡大図であり、図４は、図１におけるIV部の拡大図であり、図５は、図２におけるＶ部の拡大図である。
図１及び図２に示すように、本実施形態の型枠ユニット１００は、構築する梁にあたる部位にコンクリートを打設するための空間を形成するとともに、打設されたコンクリートの荷重を支持するために用いられるものである。
【００１３】
図１及び図２に示すように、Ｎ＋１階の見上げ梁を構成するコンクリートを打設するにあたり、Ｎ＋１階又はそれ以上の階までの柱を構成するフルＰＣ柱部材が建て込まれている。
本実施形態の型枠ユニット１００は、梁の外周に沿うように設置された型枠部４０と、型枠部４０を下方より支持する支持部５０とにより構成される。なお、図１において、Ｎ＋１階及びＮ階の紙面垂直方向に延びる見上げ梁の梁型枠については図示を省略している。また、図２において、Ｎ＋１階及びＮ階の紙面左右方向に延びる見上げ梁及び梁型枠と、Ｎ階の紙面垂直方向に延びる見上げ梁の梁型枠とについては図示を省略している。
【００１４】
図３に示すように、型枠部４０は、配筋の完了した梁筋３の外周を取り囲み、コンクリートを打設するための空間を形成する梁型枠本体２０と、梁型枠本体２０の形状を保持するための型枠保持部３０とから構成される。
【００１５】
梁型枠本体２０は、梁の側面に当たる位置に配置された側面板２１と、梁の下面に当たる位置に配置された下面材２２と、側面板２１の外面に当接して梁の長さ方向に延びるタイロッド（不図示）により取り付けられた複数の横材２３及びパイプ部材２４Ａと、下面材２２の下面に当接して梁の長さ方向に延びる根太材２５と、からなる。
【００１６】
型枠保持部３０は、上記の根太材２５及びパイプ部材２４Ａの下方に梁の長さ方向に適宜な間隔で梁幅方向に延びるように設けられた角パイプ３１と、先端に角パイプ３１を把持した状態と開放した状態とを切り替え可能な把持部３２Ａを備えるビームクランプ３２と、角パイプ３１とビームクランプ３２の間に斜めに架け渡された補強材３３とから構成される。ビームクランプ３２には、梁型枠本体２０の横材２３及びパイプ部材２４Ａが固定されている。また、ビームクランプ３２は、把持部３２Ａによる角パイプ３１の拘束を緩めることにより、補強材３３とともに角パイプ３１に沿って梁幅方向に移動することができ、また、適宜な位置で把持部３２Ａを拘束状態とすることにより、角パイプ３１に固定することができる。梁型枠本体２０内にコンクリートを打設する際には、ビームクランプ３２を所定の間隔に移動させ、把持部３２Ａを固定しておく。
【００１７】
梁型枠本体２０内にコンクリートを打設すると、下面材２２及び側面板２１にはコンクリートの圧力が作用するが、横材２３及びパイプ部材２４Ａが側面板２１を側方より支持し、また、根太材２５及びパイプ部材２４Ａが下方より下面材２２を支持する。さらに、角パイプ３１が根太材２５及びパイプ部材２４Ａを下方より支持し、また、ビームクランプ３２及び補強材３３が梁型枠本体２０の横材２３及びパイプ部材２４Ａを側方より支持するため、コンクリートの圧力による梁型枠本体２０の変形するのを防止することができる。
【００１８】
支持部５０は、角パイプ３１の下方に設けられたラチス架構５１（特許請求の範囲の型枠受部材に相当）と、ラチス架構５１の下部の梁の長さ方向両端部においてラチス架構５１を下方より支持するように取り付けられた受け材５２Ａと、ラチス架構５１の下部の梁の長さ方向中央部近傍においてラチス架構５１を下方より支持するように取り付けられた受け材５２Ｂと、受け材５２Ａ，５２Ｂの下部に取り付けられた支持部材接続部５３Ａ，５３Ｂと、一端が支持部材接続部５３Ａに回動自在に取り付けられ、伸縮機構を有する第１の支持部材５４Ａと、一端が支持部材接続部５３Ｂに回動自在に取り付けられ、伸縮機構を有する第２の支持部材５４Ｂと、から構成される。
【００１９】
図４に示すように、第１の支持部材５４Ａの他端には、接続部材５５Ａが回動可能に取り付けられており、接続部材５５Ａは支持部材受け部６０を介してＰＣ柱部材２に取り付けられている。これにより、第１の支持部材５４ＡはＰＣ柱部材２Ａに反力をとりながらラチス架構５１を支持している。
【００２０】
また、図５に示すように、第２の支持部材５４Ｂの他端には、当接部材５５Ｂが回動可能に取り付けられており、第２の支持部材５４Ｂは、当接部材５５Ｂが下階の床面上に当接した状態で、ラチス架構５１を下方から支持している。
【００２１】
なお、第１の支持部材５４Ａ及び第２の支持部材５４Ｂを回動させた際に干渉するのを防止するため、梁幅方向外側に第１の支持部材５４Ａが、梁幅方向内側に第２の支持部材５４Ｂが取り付けられている。
【００２２】
型枠部４０及び梁型枠本体２０内に打設されたコンクリートの荷重は、型枠保持部３０を介してラチス架構５１に作用する。この荷重に対して、第２の支持部材５４Ｂは下方の梁床に、第１の支持部材５４Ａが柱２に反力をとりながら、型枠部４０及び梁型枠本体２０内に打設されたコンクリートの荷重を支持することができる。なお、梁の長さ方向両端に取り付けられた受け材５２Ａの下方には、車輪５７が取り付けられており、第１の支持部材５４Ａ及び第２の支持部材５４Ｂを格納した状態において、梁型枠ユニット１００をこの車輪５７により移動することができる。
【００２３】
以下、上記説明した梁型枠ユニット１００を用いた梁の構築方法について詳細に説明する。図６〜図１１は梁型枠ユニット１００を用いた梁の構築方法を説明するための図である。なお、図６、図７、図１０、図１１は柱梁架構の正面図であり、図８（Ａ）は梁型枠ユニットの正面図であり、同図（Ｂ）は同図（Ａ）におけるVIII―VIII´断面図であり、図９（Ａ）は、柱梁架構の正面図であり、同図（Ｂ）は同図（Ａ）におけるIX―IX´断面図である。なお、図６、図７及び図９（Ａ）において、作業対象階及びその下階の紙面垂直方向に延びる梁の梁型枠は図示を省略している。また、図９（Ｂ）において、Ｎ階及びＮ＋１階の紙面左右方向に延びる梁及び梁型枠は図示を省略している。
【００２４】
Ｎ＋１階の見上げ梁を構築するにあたり、Ｎ階の見上げ梁の梁筋の配筋作業及び梁型枠の設置作業は完了しているものとする。まず、図６に示すように、Ｎ＋１階の柱２をＰＣ柱部材２Ａを用いて構築する。そして、Ｎ＋１階の見下げ床に相当する位置に床型枠６Ａを設置する。ＰＣ柱部材２Ａの所定の箇所には、支持部材受け部６０を設置しておく。なお、本実施形態では床型枠６Ａを設置しているが、これに代えてハーフＰＣ床部材を設置した場合も同様に施工を行うことができる。
【００２５】
次に、図７に示すように、ＰＣ柱部材２Ａ間のＮ＋１階の見上げ梁に相当する位置に、梁筋３の配筋作業を行う。なお、梁筋３は、ＰＣ柱部材２Ａの仕口部に当たる部分から突出する接続筋４に機械式継手５により継手すればよい。
【００２６】
また、これと並行して、Ｎ＋１階の見下げ床を構成する床筋６Ｂの配筋作業及び段差型枠の設置作業を行い、Ｎ階の見上げ梁及びＮ階の見上げ床（すなわち、Ｎ＋１階の見下げ床）を構成するコンクリート６Ｃを打設する。なお、これらの作業は、後述する梁型枠ユニット１００の設置作業やＮ＋２階の柱を構成するＰＣ柱部材２Ａの建て込み作業と並行して行ってもよい。
【００２７】
次に、適宜な作業スペースにおいて、図８に示すように、第１の支持部材５４Ａ及び第２の支持部材５４Ｂを水平になるまで回動させた状態で、角パイプ３１上に梁の長さ方向に延びるように根太材２５及びパイプ部材２４Ｂを取り付け、根太材２５及びパイプ部材２４Ｂの上部に下面材２２を固定する。また、ビームクランプ３２及び補強材３３を外側に移動させて適宜間隔を設けた状態で、ビームクランプ３２の内周側に梁の長さ方向に延びるように横材２３及びパイプ部材を取り付け、横材２３及びパイプ部材の内周側に側面板２１を固定する。
【００２８】
次に、図９に示すように、揚重機（不図示）を用いて、吊り上げ冶具７０を介してラチス架構５１により型枠支持ユニット１００を下方より支持した状態で揚重し、Ｎ＋１階の柱２間を結ぶように配筋された梁筋３が側面板２１及び下面材２２により囲まれる空間内に位置するように、Ｎ＋１階の見上げ梁に相当する位置に梁型枠ユニット１００を配置する。そして、第１の支持部材５４Ａを回転させるとともに、これらを適宜伸縮させて、第１の支持部材５４Ａの先端に取り付けられた接続部材５５Ａを支持部材受け部６０に固定する。これにより、梁型枠ユニット１００が第１の支持部材５４Ａを介して、柱２に支持されることとなる。そして、ビームクランプ３２の把持部３２Ａを開放状態とし、側面板２１が取り付けられた状態のビームクランプ３２を側面板２１の表面の間隔が梁幅と等しくなるまで移動させた後、把持部３２Ａを拘束状態としてビームクランプ３２を角パイプ３１に固定する。
【００２９】
次に、図１０に示すように、Ｎ階の見上げ梁を構築する際に用いた梁型枠ユニット１００を取り外す。なお、この取り外した梁型枠ユニット１００は、他の梁を構築する際に用いることができる。
【００３０】
上記打設したスラブコンクリート６Ｃが硬化した後、図１１に示すように、第２の支持部材５４Ｂを回転させるとともに、これらを適宜伸縮させて、第２の支持部材５４Ｂの先端に取り付けられた当接部材５５Ｂを床６の上面に当接させる。なお、本実施形態では、第２の支持部材５４Ｂが梁型枠ユニット１００と一体である場合について説明するが、別個の部材としてもよい。これにより、図１及び図２に示すように、梁型枠本体２０が柱２及び床６に反力を取りながら支持された状態となる。また、これと並行してＮ＋２階の柱２を構成するＰＣ柱部材２Ａを建て込む。
【００３１】
そして、図６を参照して説明した工程と同様に、Ｎ＋１階の見上げ床（Ｎ＋２階の見下げ床）に当たる位置に、床型枠６Ａを設置する。さらに、Ｎ＋２階の見下げ床を構成する床筋６Ｂの配筋作業を行い、Ｎ＋２階の見下げ床を構成するコンクリートを打設するとともに、これと一体となるようにＮ＋１階の見上げ梁を構成するコンクリートを型枠本体２０の内部にコンクリートを打設する。上記の工程を繰り返すことにより、柱梁架構を構築していくことができる。
【００３２】
以上説明したように、本実施形態によれば、梁を構成するコンクリートの打設前には梁型枠を柱に反力をとって支持することとしたため、作業対象階の梁型枠の取り付け作業を、作業対象階の直下の階の床の構築作業に先だって行うことができる。
【００３３】
また、梁を構成するコンクリートの打設前には梁型支持ユニットの両端部に設けられた第１の支持部材５４Ａにより、柱に反力をとって型枠本体２０を支持することとしたため、型枠本体２０の下方においてスラブ筋６Ｂの配筋作業やスラブコンクリート６Ｃの打設作業を行う際の障害とならない。
【００３４】
なお、本実施形態では、柱梁架構１０の柱２をフルＰＣ柱部材２Ａを用いて構築するものとしたが、これに限らず、現場において、柱筋の配筋、柱型枠の設置、及びコンクリートの打設を行って構築してもよい。
【００３５】
また、本実施形態では、何れかの階（上記の説明ではＮ＋２階）の柱を構成するＰＣ柱部材２Ａを建て込んだ後に、この階の見下げ床に当たる位置に、床型枠６Ａを設置することとしたが、これに限らず、何れかの階の見下げ床に当たる位置に、床型枠６Ａを設置した後、この階の柱を構成するＰＣ柱部材２Ａを建て込むこととしてもよい。
【００３６】
また、本実施形態では、梁を構成するコンクリートの打設前には、第１の支持部材５４Ａにより、梁を構成するコンクリートの打設時には、第１及び第２の支持部材５４Ａ，５５Ｂにより型枠本体２０を支持する構成としたが、これに限らず、例えば、図１２に示すように、梁を構成するコンクリートの打設前には、柱２の表面より突出するように架構受部材８０を取り付け、この架構受部材８０上にラチス架構５１を載置して、ラチス架構５１下方より型枠部４０を支持し、梁を構成するコンクリートの打設時には、さらに、床面とラチス架構５１の間に第２の支持部材５４Ｂを設けることにより支持する構成としてもよい。
【００３７】
また、図１３に示すように、例えば、Ｎ＋１階の見上げ梁を構成するコンクリートの打設前には、Ｎ＋２階の柱２とラチス架構５１を結ぶように、斜材８０を設けて梁型枠本体２０を上階の柱２に反力を取って支持し、梁を構成するコンクリートの打設時には、さらに、床面とラチス架構５１の間に第２の支持部材５４Ｂを設けることにより支持する構成としてもよい。
【００３８】
また、本実施形態では、柱２に反力を取って型枠部４０を支持する構成としたが、これに限らず、構築済みの壁に反力を取って、型枠部４０を支持する構成としてもよい。すなわち、図１に示す実施形態では、第１の支持部材５４Ａの端部を柱２の側方の壁に接続すればよく、図１２に示す実施形態では、架構受部材８０をラチス架構５１を下方より支持することができるように壁に取り付けられればよく、また、図１３に示す実施形態では、斜材８０の端部を上階の柱２の側方の壁に接続すればよい。
【００３９】
また、本実施形態では、仕口部が柱と一体に構成されたＰＣ柱部材２Ａを用いた場合について説明したが、これに限らず、図１４に示すように、仕口部及び柱を夫々構成するＰＣ仕口部材及びＰＣ柱部材を用いる場合であっても本発明を適用することができる。かかる場合には、同図に示すように、ＰＣ仕口部材１０３として、隣接する柱間に掛け渡される梁の梁主筋１０４の中央までの部分が一体に構築されたＰＣ部材を用いてもよい。
【００４０】
また、上記の各実施形態では、コンクリートを打設する際に、第２の支持部材５４Ｂにより構築済みの梁に反力をとるものとしたが、これに限らず、構築済みの床に反力をとることとしてもよい。
【００４１】
また、本実施形態では、例えば、Ｎ＋１階の見上げ梁を構成するコンクリートを打設する場合に、Ｎ＋１階の見下げ梁又は見下げ床（すなわち、Ｎ階の見上げ梁又は見上げ床）を構成するコンクリートが硬化した後、このコンクリートに第２の支持部材５４Ｂにより反力をとることとしたが、Ｎ＋１階の見下げ梁又は見下げ床を構成するコンクリートの打設前であっても、第２の支持部材５４Ｂを設置して、梁型枠本体２０内にコンクリートを打設することも可能である。
【００４２】
図１５は、スラブコンクリートの打設前に、梁型枠ユニット１００を支持する場合における第２の支持部材５４Ｂの下端近傍の拡大図である。同図に示すように、例えば、Ｎ＋１階の見上げ梁を構成するコンクリートを打設する際に、Ｎ＋１階の見下げ梁又は見下げ床を構成するコンクリートが打設されていない場合には、Ｎ＋１階の見下げ床に当たる位置に設置された床型枠１１１の第２の支持部材５４Ｂの下端が取り付けられるべき位置の下面を支持するように、Ｎ階よりも下階の構築が完了した見下げ床又は見下げ梁（以下の説明ではＮ階の見下げ床の構築が完了しているとする）に反力をとるようにサポート１１２を設け、このサポート１１２により床型枠１１１を下方から支持しておく。そして、床型枠１１１のサポート１１２の上方にあたる位置に直方体状に形成されたコンクリートブロック１１０を配置する。なお、このコンクリートブロック１１０は、その上面が構築すべきスラブ上面と一致するような高さを有する。そして、このコンクリートブロック１１０の上面に第２の支持部材５４Ｂの先端の当接部材５５Ｂを当接させる。これにより、型枠本体２０内に打設されたコンクリート及び梁型枠ユニット１００の荷重は、第２の支持部材５４Ｂ及びサポートを介して、Ｎ階の床に伝達されることとなる。このため、型枠本体２０を支持することが可能となり、型枠本体２０内にコンクリートを打設することができる。そして、その後、適宜なタイミングで、このコンクリートブロック１１０を埋設するようにＮ＋１階の見下げ床を構成するコンクリートを打設すればよい。
【００４３】
なお、上記図１５を参照して説明した実施形態では、Ｎ＋１階の見下げ床の構築が完了していない場合に、下方からサポート１１２で支持した床型枠１１１上にコンクリートブロック１１０を介して梁型枠ユニット１００を設けることとしたが、これと同様に、Ｎ＋１階の見下げ梁の構築が完了しておらず、梁型枠のみが設置されている場合には、このような梁型枠を下方からサポート１１２で支持し、下方からサポート１１２で支持した梁型枠上にコンクリートブロック１１０を介して梁型枠ユニット１００を設けることも可能である。
【００４４】
また、上記図１５を参照して説明した実施形態では、Ｎ＋１階の見下げ床に当たる位置に設置された床型枠上にコンクリートブロック１１０を介して梁型枠ユニット１００を設けることとしたが、これに限らず、Ｎ＋１階の見下げ床の一部を構成するハーフＰＣ床部材を用いる場合であっても、これと同様に、ハーフＰＣ床部材上にコンクリートブロック１１０を設置し、梁型枠ユニット１００を設けることも可能である。また、コンクリートブロック１１０は予めハーフＰＣ床板と一体に構築してもよい。なお、ハーフＰＣ床部材を用いる場合には、ハーフＰＣ床部材が梁型枠ユニット１００の荷重に耐えうる場合には、サポートを省略してもよい。
【００４５】
また、図１５を参照して説明した方法を用いる際に、Ｎ階の見下げ床又は見下げ梁も型枠のみが設置されているだけの場合には、さらに、Ｎ階にもサポートを設ければよく、要するに、梁型枠ユニット１００を設置する階よりも下の階の構築が完了した見下げ床又は見下げ床まで、梁型枠ユニット１００の荷重が伝達されるようにすればよい。また、必ずしもコンクリートブロックを用いる必要はなく、これに代えて、アングルなどの鋼材を用いることとしてもよい。
【００４６】
また、上記の各実施形態では、ＰＣ柱部材２Ａを建て込むことにより、柱梁仕口部及び柱を構築するものとしたが、柱梁仕口部のコンクリートを現場打ちして構築してもよい。さらに、図１６に示すように、複数階の柱２を構成する複数のＰＣ柱部材２Ａを建て込み、例えば、図中上下階のＰＣ柱部材２Ａの間に、上階のＰＣ柱部材２Ａの荷重を支持可能な部材を設けてこれらＰＣ柱部材２Ａを支持しておき、これらＰＣ柱部材２Ａに反力をとるように、各階の梁に当たる位置に梁型枠ユニット１００を設置することも可能である。
【００４７】
また、上記の各実施形態では、柱２の全体がプレキャストコンクリートで構成されたＰＣ柱部材２Ａを用いる場合について説明したが、これに限らず、図１７に示すように、柱の中間部よりも下方のみがプレキャストコンクリートであり、それよりも上方はコンクリートが存在せず、鉄筋が露出しているようなＰＣ柱部材１０２Ａを用いてもよい。要するに、柱を構成するコンクリートの少なくとも一部がプレキャストコンクリートにより構成されているＰＣ部材であれば、本願発明におけるＰＣ部材に含まれる。
【００４８】
なお、上記の各実施形態では、鉄筋コンクリート造の柱梁架構を構築する場合に本発明を適用した場合について説明したが、これに限らず、鉄骨コンクリート造、鉄骨鉄筋コンクリート造、及びこれらの混合構造の柱梁架構を構築する場合にも本発明を適用することができる。
【図面の簡単な説明】
【００４９】
【図１】柱梁架構に設置された本実施形態の型枠ユニットの正面図である。
【図２】図１におけるII−II´断面図である。
【図３】図２におけるIII部の拡大図である。
【図４】図１におけるIV部の拡大図である。
【図５】図２におけるV部の拡大図である。
【図６】梁型枠ユニットを用いた梁の構築方法を説明するための図であり、柱の建て込みが完了した状態を示す。
【図７】梁型枠ユニットを用いた梁の構築方法を説明するための図であり、梁筋の配筋が完了した状態を示す。
【図８】梁に当たる位置に設置する前の状態の梁型枠ユニットを示し、（Ａ）は正面図であり、（Ｂ）は（Ａ）におけるVIII―VIII´断面図である。
【図９】梁型枠ユニットを梁にあたる位置に設置している状態を示し、（Ａ）は正面図であり、（Ｂ）はIX―IX´断面図である。
【図１０】梁型枠ユニットを用いた梁の構築方法を説明するための図であり、スラブ筋の配筋及びスラブコンクリートの打設が完了した状態を示す。
【図１１】梁型枠ユニットを用いた梁の構築方法を説明するための図であり、第２の支持部材を回転させて、柱及び床に反力をとった梁型枠を支持した状態を示す。
【図１２】柱に取り付けた架構受部材により梁型枠を支持した場合の型枠ユニットを示す図である。
【図１３】上階の柱及び作業対象階の床に反力をとって梁型枠を支持した場合の型枠ユニットを示す図である。
【図１４】作業対象階の柱をＰＣ柱部材の上方にＰＣ仕口部材を建て込むことにより構築した場合の梁型枠ユニットを設置した状態を示す図である。
【図１５】スラブコンクリートの打設前に第２の支持部材により反力をとって梁型枠を支持する場合の、第２の支持部材の下端近傍の拡大図である。
【図１６】柱梁仕口部を現場打ちにより構築する場合に、複数階の柱を構成するＰＣ柱部材を建て込み、これらＰＣ柱部材を支持した状態で、これらＰＣ柱部材に反力をとるように、各階の梁に当たる位置に梁型枠ユニットを設置した様子を示す図である。
【図１７】柱の中間部よりも下方のみがプレキャストコンクリートであり、それよりも上方はコンクリートが存在せず、鉄筋が露出しているようなＰＣ柱部材を用いた場合を示す図である。
【符号の説明】
【００５０】
２  柱                              ２Ａ  ＰＣ柱部材
３  梁筋                            ４  接続筋
５  機械式継手                      ６  床
６Ａ  床型枠                        ６Ｂ  スラブ筋
６Ｃ  スラブコンクリート            ２０  梁型枠本体
２１  側面板                        ２２  下面板
２３  横材                          ２４Ａ、２４Ｂ  パイプ部材
２５  根太材                        ３０  型枠保持部
３１  角パイプ                      ３２  ビームクランプ
３３  補強材                        ４０  型枠部
５０  支持部                        ５１  ラチス架構
５２Ａ，５２Ｂ  受け材              ５３Ａ，５３Ｂ  支持部材接続部
５４Ａ  第１の支持部材              ５４Ｂ  第２の支持部材
５５Ａ  接続部材                    ５５Ｂ  当接部材
５７  車輪                          ６０  支持部材受け部
８０  架構受部材                    ８０  斜材
１００  梁型枠ユニット              １１０  コンクリートブロック
１１１  床型枠                      １１２  サポート
【図１】
2010053649.tif 000003
【図２】
2010053649.tif 000004
【図３】
2010053649.tif 000005
【図４】
2010053649.tif 000006
【図５】
2010053649.tif 000007
【図６】
2010053649.tif 000008
【図７】
2010053649.tif 000009
【図８】
2010053649.tif 000010
【図９】
2010053649.tif 000011
【図１０】
2010053649.tif 000012
【図１１】
2010053649.tif 000013
【図１２】
2010053649.tif 000014
【図１３】
2010053649.tif 000015
【図１４】
2010053649.tif 000016
【図１５】
2010053649.tif 000017
【図１６】
2010053649.tif 000018
【図１７】
2010053649.tif 000019